(57)【要約】【課題】本発明の課題は、扱室からの脱穀処理物を選別網にて粗選別することで、１番選別網上へのわら屑の漏下を少なくし、選別負荷を低減して１番選別性能の向上を図ることを目的とする。【解決手段】本発明は、扱室からの脱穀処理物を受け入れて揺動移送しながらふるい選別するチャフシ−ブであって、少なくとも、扱室の始端側下方に位置する移送棚の終端部位から扱室終端の排塵口下方に至る部位までの一定範囲内を選別網にて構成してあることを特徴とする。【選択図】図２
2005198619.tif 000002
【特許請求の範囲】
【請求項１】
扱室からの脱穀処理物を受け入れて揺動移送しながらふるい選別するチャフシ−ブであって、少なくとも、扱室の始端側下方に位置する移送棚の終端部位から扱室終端の排塵口下方に至る部位までの一定範囲内を選別網にて構成してあることを特徴とする脱穀装置。
【請求項２】
前記選別網上には処理物を分散案内する寄せ板を設けてあることを特徴とする請求項１記載の脱穀装置。
【請求項３】
前記選別網の目合は、下方に配置する１番選別網の目合よりも大きくしてあることを特徴とする請求項１又は請求項２記載の脱穀装置。
【発明の詳細な説明】
【技術分野】
【０００１】
本発明は、脱穀処理された処理物を揺動移送しながら選別する揺動選別装置を備えた脱穀装置に関し、農業機械の技術分野に属する。
【背景技術】
【０００２】
従来、扱室からの脱穀処理物を受け入れて揺動移送しながらふるい選別する揺動選別装置は、扱室始端側からの処理物を受けて揺動移送する移送棚と、この移送棚の終端に引き続いて設けられたチャフシ−ブと、該チャフシ−ブの終端に続くストロ−ラックと、前記チャフシ−ブの下方に配備された１番選別網等からなる構成であり、そして、上記チャフシ−ブは、複数枚の帯板状のシ−ブ板を等間隔に配置して上部を枢着し、下部が円弧状の長孔に沿って揺動開閉するようにして相互の選別間隔の開度調節を可能としたものが一般的な構成として知られている（例えば、特許文献１参照。）。
【特許文献１】特開平８−５１８５５号公報
【発明の開示】
【発明が解決しようとする課題】
【０００３】
扱室から下方に落下する脱穀処理物のうち、特に、扱室終端の排塵口からは稈切れ等の多量のわら屑を含む処理物が落下する。これを受け入れる従来のチャフシ−ブ構成のものでは、わら屑が下方に抜け易いため、下方の１番選別網の上に落下し１番選別に負担がかかり、選別性能の低下を招く問題があった。
【０００４】
本発明は、上記問題点を解消して、１番選別性能の向上を図ることを目的とする。
【課題を解決するための手段】
【０００５】
本発明は、上述した課題を解決するために、次の如き技術手段を講じた。すなわち、請求項１記載の本発明は、扱室からの脱穀処理物を受け入れて揺動移送しながらふるい選別するチャフシ−ブであって、少なくとも、扱室の始端側下方に位置する移送棚の終端部位から扱室終端の排塵口下方に至る部位までの一定範囲内を選別網にて構成してあることを特徴とする。
【０００６】
扱室の始端側から漏下する処理物は、移送棚上に受けられて後方の選別網上に送られると共に、扱室終端側の排塵口から落下する処理物は、直接この選別網上に受けられてここで粗選別された後、後続する一部のチャフシ−ブを経て後方のストロ−ラック上に至るものと、この選別網を抜け落ちるものとに別れ、選別網を抜け落ちた処理物は下方の１番選別網上に落下してふるい選別される。
【０００７】
特に、扱室終端の排塵口からの排塵処理物は、後続のチャフシ−ブ上に達する前に選別網にて粗選別されるので、下方の１番選別網上へのわら屑の漏下が極めて少なくなり、１番選別の負荷軽減を図ることができ、選別性能が向上する。また、移送棚側のチャフシ−ブが網であるため、移送棚との関連構成がコンパクトにできる。
【０００８】
請求項２記載の本発明は、請求項１において、前記選別網上には処理物を分散案内する寄せ板を設けてあることを特徴とする。
【０００９】
選別網上に受けられる処理物は、寄せ板によって片寄ることなく棚幅方向に分散案内されることになり、この選別網によるふるい選別効果が促進され、ひいては１番選別が良好に精度よく行われることになる。また、この網による場合は寄せ板との取付けがシ−ブ板と比較して簡単容易にできる。
【００１０】
請求項３記載の本発明は、請求項１又は請求項２において、前記選別網の目合は、下方に配置する１番選別網の目合よりも大きくしてあることを特徴とする。
【００１１】
扱室終端の排塵口からの排塵処理物は、１番選別網によってふるい選別する前に、これより目合の大きい選別網にて粗選別するので、１番選別網の目合を大きくする必要がなく、１番選別性能が向上する。
【発明の効果】
【００１２】
要するに、請求項１の本発明によれば、扱室からの脱穀処理物を１番選別する前に、選別網にて粗選別することができるので、１番選別網上へのわら屑の漏下が少なくなり、１番選別の負荷低減を図ることができ、選別性能が向上する。また、移送棚と網との関連であるため、両者の繋がりがコンパクトに構成できる。
【００１３】
また、請求項２の本発明によれば、請求項１の発明による作用効果を奏するものでありながら、処理物が寄せ板によって棚幅方向に分散案内されるので、この選別網によるふるい選別効果が促進され、ひいては１番選別性能がより向上する。また、この網に対する寄せ板の取付けが容易で簡単に構成することができる。
【００１４】
更に、請求項３の本発明によれば、請求項１又は請求項２の発明効果を奏するものでありながら、１番選別網による選別の前に、これより目合の大きい選別網にて粗選別するので、１番選別網の目合を大きくする必要がなく、選別処理量が少なくなっても３番ロスをなくし、１番選別性能の向上を図ることができる。
【発明を実施するための最良の形態】
【００１５】
以下、本発明の実施例を図面に基づいて具体的に説明する。
【００１６】
まず、図１に示すコンバインの構成について述べる。
【００１７】
走行クロ−ラ１を具備する車体２上には、前部に昇降可能な刈取部３を、後部に脱穀装置（脱穀機）４を搭載している。刈取部３の横側部には運転部５が設置され、その後方にはグレンタンク６が装備されている。
【００１８】
つぎに、脱穀装置４の構成につき説明する。扱胴７を内装軸架した扱室８の下半周部に沿って受網９を張設している。１０は扱室８の上方部を覆う扱胴カバ−であって、扱胴軸方向に平行な軸芯回りに揺動開閉可能に構成している。
【００１９】
扱室８の扱口側には穀稈を挟持搬送するフイ−ドチエン１１とこの上側に対設する挟持レ−ル１１ａを配設している。この挟持レ−ル１１ａは扱胴カバ−１０側に装着して該カバ−と共に揺動開閉する構成である。扱室８の終端側には多量のわら屑や未処理物を含む排塵処理物を下方に落下させる排塵口１２が設けらている。
【００２０】
扱室８の下側には揺動可能に架設した揺動選別装置１６を設け、更に、その下方には選別方向の上手側から順に、唐箕１７と、１番移送螺旋１８と、２番移送螺旋１９と、その上方に吸引排塵フアン２０を設けて選別室２１を構成している。なお、１番揚穀装置１８Ａは１番移送螺旋１８で回収された穀物を揚送してグレンタンク６内に収容する。また、２番揚穀装置１９Ａは２番移送螺旋１９で回収された２番物を扱室８内へ還元するようになっている。
【００２１】
そして、揺動選別装置１６は、扱室からの脱穀処理後の処理物を受け入れて揺動移送しながらふるい選別する構成であり、選別方向上手側から移送棚２２、選別網（クリンプ網）２３、チャフシ−ブ２４、ストロ−ラック２５の順に配置し、且つ、前記選別網２３の下方に１番流下棚２６を、前記チャフシ−ブ２４の下方に１番選別網２７を配置して一体的に設け、前記唐箕１７及び吸引排塵フアン２０による選別風と揺動との共同作用によって扱室８から漏下してきた処理物を受け入れて揺動移送しながらふるい選別処理するように構成している。
【００２２】
前記選別網２３は、移送棚２２とチャフシ−ブ２４との間に連設されており、つまり、チャフシ−ブ２４の始端側にあって、少なくとも、扱室８の始端側下方に位置する該移送棚２２の終端部位から扱室終端の排塵口１２の下方に対応する部位までの一定範囲内にわたり上記選別網２３にて構成することにより、特に、前記排塵口１２からのわら屑の多い排塵処理物を受け入れて処理し、わら屑の漏下を少なくして１番選別の負担を軽減するようにしている。
【００２３】
また、選別網２３上には、処理物を棚幅方向に分散案内する寄せ板２８が設けられている。この寄せ板２８は処理物を棚幅方向右側（扱室の穀稈穂先側）から左側（扱室の穀稈株元側）斜め後方に向かって分散案内するよう傾斜状態に設けられている。これによれば、処理物が棚幅方向いっぱいに満遍に分散されることになるので、選別効果がより促進される。
【００２４】
更に、図４に示す実施例では、選別網２３の目合Ａは１番選別網２７の目合Ｂより大きく（Ａ＞Ｂ）して１番選別性能の向上を図るようにしている。選別能力をアップするために１番選別網の目合を大きくすると、流量が少なくなった場合に選別性能低下の要因となる。逆に選別を優先すると、目合を小さくする必要があり、２番還元が多くなり、３番ロスの原因にもなる。そこで、１番選別網による選別の前に、これより目合の大きい別の選別網で処理物を粗選別することができるので、１番選別網上での選別負荷を低減することができ、１番選別網の目合を大きくする必要がなく、１番の選別性能が向上することになる。
【００２５】
前記チャフシ−ブ２４は、複数枚の帯板状のシ−ブ板２４ａを等間隔に配置して上部を枢着２４ｂし、下部が円弧状の長孔２４ｃに沿って揺動開閉するようにして相互の選別間隔の開度調節ができる構成としている。
【００２６】
また、前記図４に示す実施例では、選別網２３において、この網の有効選別面積を変更調節する調節板２９が前後スライド自在に設けられている。これによれば、被選別物の処理量に応じて又は作物の種類、乾湿度合等の条件によって選別漏下面積を適宜調整することができ、選別性能の向上並びにロスの低減を図ることができる。
【００２７】
なお、図５に示す実施例では、扱室終端の排塵口１２に対応する下方部分には、無孔の受け棚３０を前方の選別網２３と後方のチャフシ−ブ２４との間に連設して、該排塵口１２からの排塵処理物が直接下方の１番選別網２７側へ落下しないように構成している。
【００２８】
また、図６及び図７に示す実施例は、上記選別網２３の前後及び左右の傾斜角度を変更調節できるように構成している。つまり、選別網２３は、始端側の左右横方向の横軸芯Ｐを支点として終端側が上下に傾動し、また、中間部の前後方向の前後軸芯Ｑを支点として左下がり又は右下がりに傾動するようになっている。従って、選別網の前後の傾斜角変更によって、条件により処理物の送り量を変更することができ、選別性能の向上、３番ロスを低減することができる。また、選別網の左右の傾斜角度を変えることによって、流量に関係なく処理物を均分化でき、１番選別網上での負荷を均一にすることができるので、選別不良を防止でき、３番ロスを少なくすることができる。
【００２９】
以上のように構成された刈取脱穀装置についてその作用を説明する。
【００３０】
まず、圃場の穀稈は、前進する機体の前部位置にある刈取部３によって刈取られ、上方に搬送されて、フィ−ドチエン１１に受け継がれてのち脱穀装置４に供給される。そして、穀稈は、株元をフィ−ドチエン１１に挾持されて搬送されながら穂先部分が扱室８内に供給されて、回転している扱胴７により脱穀作用を受ける。このようにして処理された脱穀処理物は、回転している扱胴７によって持ち回りされて、更に、脱粒処理作用を受け、受網９から漏下して選別室２１の揺動選別装置１６に達し揺動選別作用を受ける。
【００３１】
この場合、扱室の始端側で脱穀処理された処理物は、移送棚２２上に落下して後方へ揺動移送されて選別網２３に達する。また、扱室終端の排塵口１２からの排塵処理物は、選別網２３上に落下してここでふるい選別された後、なおも後方へ移送されてチャフシ−ブ２４に達し、チャフシ−ブ２４を構成している複数枚のシ−ブ板２４ａ…相互間にある選別間隔を漏下しながら風選作用を受ける。
【００３２】
選別網２３の網目から漏下するものは下方の１番流下棚２６を経て１番選別網２７に達し、該１番選別網２７によりふるい選別されこの網目を漏下しながら風選作用を受ける。このとき、唐箕１７は、起風した選別風を選別室２１内に吹き込みながら選別し、吸引排塵フアン２０による吸引作用によって選別される。
【００３３】
このようにして、処理物は、揺動選別作用と選別風による風選作用との共同作用を受けながら選別されて、１番物（精粒）、２番物、排塵物とに選別分離され、１番物は１番選別網２７にてふるい選別された後、１番移送螺旋１８の受樋内に落下して収集されて機外に取り出されグレンタンク６内に収容される。２番物は２番移送螺旋１９から２番揚穀装置１９Ａによって揚穀されて扱室８内に還元され再処理される。そして、排塵物は吸引排塵フアン２０によって吸塵され機外に排出されると共に、ストロ−ラック２５に達したわら屑は棚先から機外に排出される。
【図面の簡単な説明】
【００３４】
【図１】コンバインの側面図
【図２】脱穀機の切断側面図
【図３】揺動選別装置の要部の平面図
【図４】脱穀機の要部の切断側面図
【図５】同上要部の切断側面図
【図６】揺動選別装置の要部の切断側面図
【図７】同上要部の背面図
【符号の説明】
【００３５】
４    脱穀装置（脱穀機）          ７    扱胴
８    扱室                        ９    受網
１２    排塵口                    １６    揺動選別装置
２２    移送棚                    ２３    選別網
２４    チャフシ−ブ              ２５    ストロ−ラック
２６    １番流下棚                ２７    １番選別網
２８    寄せ板
Ａ    選別網の目合                Ｂ    １番選別網の目合
【図１】
2005198619.tif 000003
【図２】
2005198619.tif 000004
【図３】
2005198619.tif 000005
【図４】
2005198619.tif 000006
【図５】
2005198619.tif 000007
【図６】
2005198619.tif 000008
【図７】
2005198619.tif 000009